(57)【要約】【課題】少ない部品点数で扉の開き角度を決めるとともに扉の開き状態を保持できるようにした安価な扉用アームストッパーを提供する。【解決手段】配電ボックスなどの枠体に開閉自在に軸支された扉の上端と枠体の上の横枠との間に介在され、扉の開き角度を決める扉用アームストッパーであって、扉側に長尺状のレール部材１１を取り付け、上の横枠側にアーム８の一端を枢結し、アーム８の他端側にはレール部材１１内を摺動するローラー部材１３と、レール部材１１の下側に位置する被捕捉部材１４とを同軸上に枢支し、前記レール部材１１の一端近傍部には被捕捉部材１４を捕捉する捕捉手段１２が取り付けられ、この捕捉手段１２は板ばね材からなる捕捉部材１６と、この捕捉部材１６を取り付けレール部材１１の長さ方向の所望の位置で停止させておくための位置調整部材１７とから構成され、捕捉部材１６には捕捉板部２３が一体に設けられる。【選択図】図１
2010001684.tif 000002
【特許請求の範囲】
【請求項１】
配電ボックスなどの開口部を形成する枠体に開閉自在に軸支された扉の上端と前記枠体の上の横枠との間に介在され、扉の開き角度を決める扉用アームストッパーであって、扉側もしくは上の横枠側の何れかに内部が空洞で下端に長さ方向に沿って両側の係止片間の幅を持つ開口部が形成された長尺状のレール部材を取り付け、上の横枠側もしくは扉側にアームの一端を枢結するブラケットを取り付けるようにし、アームの他端側にはレール部材内を摺動するローラー部材と、このローラー部材とアームの他端との間に介在されレール部材の下側に位置する被捕捉部材とを同軸上に枢支し、前記レール部材の一端近傍部には前記被捕捉部材を捕捉する捕捉手段が取り付けられ、この捕捉手段は板ばね材からなる捕捉部材と、この捕捉部材を取り付けレール部材の長さ方向の所望の位置で停止させておくための位置調整部材とから構成され、位置調整部材はレール部材内に移動可能に嵌り込み固定部材によりレール部材に固定される位置固定部と、捕捉部材を固定するためにレール部材から下方に突出するように位置固定部に設けられた捕捉部材取り付け部とからなり、前記板ばね材からなる捕捉部材は捕捉部材取り付け部に当接して固定される中央の取り付け板部と、この取り付け板部の両側から延び捕捉部材取り付け部を両側から挟むように設けられて被捕捉部材を出退自在に弾性をもって掴む前記取り付け板部と一体の捕捉板部とからなることを特徴とする扉用アームストッパー。
【発明の詳細な説明】
【技術分野】
【０００１】
本発明は、扉が開かれるとき所定の角度で止まるように扉の開き角度を決める扉用アームストッパーに関するものである。
【背景技術】
【０００２】
従来のこの種装置としては、例えば特許文献１に開示されているように、開口部に固定されるガイド枠と、ガイド枠とドアとを連結する牽制棒と、ガイド枠に設けたガイド穴に沿って牽制棒と共にスライド移動するスライドピンと、ドア開放位置においてスライドピンをロック固定するロック機構とを備えており、ロック機構は、ガイド枠に装着されるケースと、ケースに揺動可能に軸支される前後一対のキャッチ体と、一対のキャッチ体の間に配置されて、両キャッチ体どうしをピン捕捉方向へ揺動付勢する圧縮コイル形のばねとを含み、両キャッチ体は、スライドピンの周面を前後に挟持する捕捉位置と、スライドピンの離脱を許す捕捉解除位置とに往復変位でき、ドアの開放動作に連動して、スライドピンがばねの付勢力に抗しながらキャッチ体の間に進入して係合捕捉されるドアの煽り止めが知られている。
【０００３】
この特許文献１に開示されているドアの煽り止めによれば、ドア開放位置においてスライドピンをロック固定するロック機構は、ガイド枠に装着されるケースに揺動可能に軸支される前後一対のキャッチ体と、この一対のキャッチ体の間に配置されて両キャッチ体どうしをピン捕捉方向へ揺動付勢する圧縮コイル形のばねを必要とするものである。
【特許文献１】特開２００３−４１８３６号公報
【発明の開示】
【発明が解決しようとする課題】
【０００４】
上記特許文献１に開示されているドアの煽り止めは前述のように、ケースに揺動可能に軸支される前後一対のキャッチ体と、この一対のキャッチ体の間に配置されて両キャッチ体どうしをピン捕捉方向へ揺動付勢する圧縮コイル形のばねを必要とするので、部品点数が多く、組み立てに手間も掛かり、コストアップになるという問題があった。
【０００５】
本発明の目的は、このような課題を解決するものであり、少ない部品点数で扉の開き角度を決めるとともに扉の開き状態を保持できるようにした安価な扉用アームストッパーを提供することにある。
【課題を解決するための手段】
【０００６】
本発明の請求項１に記載の扉用アームストッパーは、配電ボックスなどの開口部を形成する枠体に開閉自在に軸支された扉の上端と前記枠体の上の横枠との間に介在され、扉の開き角度を決める扉用アームストッパーであって、扉側もしくは上の横枠側の何れかに内部が空洞で下端に長さ方向に沿って両側の係止片間の幅を持つ開口部が形成された長尺状のレール部材を取り付け、上の横枠側もしくは扉側にアームの一端を枢結するブラケットを取り付けるようにし、アームの他端側にはレール部材内を摺動するローラー部材と、このローラー部材とアームの他端との間に介在されレール部材の下側に位置する被捕捉部材とを同軸上に枢支し、前記レール部材の一端近傍部には前記被捕捉部材を捕捉する捕捉手段が取り付けられ、この捕捉手段は板ばね材からなる捕捉部材と、この捕捉部材を取り付けレール部材の長さ方向の所望の位置で停止させておくための位置調整部材とから構成され、位置調整部材はレール部材内に移動可能に嵌り込み固定部材によりレール部材に固定される位置固定部と、捕捉部材を固定するためにレール部材から下方に突出するように位置固定部に設けられた捕捉部材取り付け部とからなり、前記板ばね材からなる捕捉部材は捕捉部材取り付け部に当接して固定される中央の取り付け板部と、この取り付け板部の両側から延び捕捉部材取り付け部を両側から挟むように設けられて被捕捉部材を出退自在に弾性をもって掴む前記取り付け板部と一体の捕捉板部とからなることを特徴とする。
【発明の効果】
【０００７】
以上のように、本発明の扉用アームストッパーは、位置調整部材に取り付けられる捕捉部材は板ばね材からなり捕捉部材取り付け部に当接して固定される中央の取り付け板部と、この取り付け板部の両側から延び捕捉部材取り付け部を両側から挟むように設けられて被捕捉部材を出退自在に弾性をもって掴む前記取り付け板部と一体の捕捉板部により構成されているので、前記特許文献１に開示されているもののように一対のキャッチ体と、この一対のキャッチ体の間に配置されて両キャッチ体どうしをピン捕捉方向へ揺動付勢する圧縮コイル形のばねを用いる場合に比べて、少ない部品点数で扉の開き角度を決めるとともに扉の開き状態を保持できるようにした安価な扉用アームストッパーを提供することができる。
【発明を実施するための最良の形態】
【０００８】
以下、本発明の一実施の形態を、図１〜図９を用いて具体的に説明する。
図において、１は主としてマンションなどの集合住宅に設けられる配電ボックスの前面の開口部を形成する枠体２に開閉自在に軸支して取り付けられる扉である。前記枠体２は左右の縦枠３（片側図示せず）と、上下の横枠４（下側図示せず）とから構成され、扉１は片側の縦枠３に近い上下の横枠４の端部に上下が回転自在に支持されている。詳しくは、左右の縦枠３ならびに上下の横枠４は階段状に形成された同じ型材が使用されるものであり、左右の縦枠３については前面部３ａと、後面部３ｂと、前面部３ａと後面部３ｂとを繋ぐ前後に向く板部３ｃと、前面部３ａおよび後面部３ｂの遊端部に連設された前後に向く板部３ｄ，３ｅとを備えている。また、上下の横枠４についても同様で前面部４ａと、後面部４ｂと、前面部４ａと後面部４ｂとを繋ぐ前後に向く板部４ｃと、前面部４ａおよび後面部４ｂの遊端部に連設された前後に向く板部４ｄ，４ｅとを備えている。そして、左右の縦枠３の前面部３ａに連設された板部３ｄおよび上下の横枠４の前面部４ａに連設された板部４ｄが枠体２の外周面を形成するように左右の縦枠３と上下の横枠４が組み立てられて枠体２が形成される。さらに、扉１は片側の縦枠３に近い上下の横枠４の端部における前面部４ａと後面部４ｂとを繋ぐ板部４ｃに上下が回転自在に支持されている。
【０００９】
以上のように枠体２に取り付けられた扉１は、上の横枠４との間でその扉１の開き角度を決める扉用アームストッパー５が介在されている。この図面に示す扉用アームストッパー５は、前記上の横枠４の後面部４ｂに連設された最下面を形成する板部４ｅの下側に取り付けられたブラケット６にピン７によって一端が枢結されたアーム８と、扉１の背面に形成された凹部９における上端板部１０の下面に取り付けられた内部が空洞で下端に長さ方向に沿って両側の係止片１１ａ間の幅を持つ開口部１１ｂが形成された断面形状角型の長尺状のレール部材１１と、このレール部材１１の一端近傍部に取り付けられ前記アーム８の他端部を掴む捕捉手段１２とから構成されている。詳しくは、前記アーム８の他端部にはレール部材１１内を摺動するベアリング内蔵のローラー部材１３と、レール部材１１の下側に位置するようにローラー部材１３とアーム８の他端との間に介在されたローラー状の被捕捉部材１４とを軸１５で枢支してある。また、前記レール部材１１の一端近傍部に取り付けられた捕捉手段１２は板ばね材からなる捕捉部材１６と、この捕捉部材１６を取り付けレール部材１１の長さ方向の所望の位置で停止させておくための位置調整部材１７とから構成されている。この位置調整部材１７はレール部材１１内に移動可能に嵌り込み固定部材としての２本の固定用ねじ１８を螺合させる雌ねじ孔１９が形成された位置固定部２０と、捕捉部材１６を固定するためにレール部材１１から下方に突出するように位置固定部２０の一端に連設されてなる捕捉部材取り付け部２１とからなる。前記板ばね材からなる捕捉部材１６は捕捉部材取り付け部２１の位置固定部２０側に向く背面に当接する中央の取り付け板部２２と、この取り付け板部２２の両側から延び捕捉部材取り付け部２１を両側から挟むように設けられて被捕捉部材１４を出退自在に弾性をもって掴む捕捉板部２３とからなり、中央の取り付け板部２２を捕捉部材取り付け部２１の背面に当接させた状態で固定部材としてのねじ２４で固定することにより捕捉部材１６が支持される。２５は捕捉部材取り付け部２１の背面に対して対向する面に取り付けられたゴムなどの緩衝材である。なお、位置調整部材１７の位置固定部２０がレール部材１１内に嵌め込まれた状態において、雌ねじ孔１９に螺合する２本の固定用ねじ１８を締め付けることにより固定用ねじ１８の頭部１８ａの上側に嵌合させたワッシャー２６と位置固定部２０とでレール部材１１の下端の係止片１１ａを挟むことになり、位置調整部材１７がレール部材１１に固定される。
【００１０】
前記ローラー部材１３は前記レール部材１１の他端側からレール部材１１内に嵌め込まれてローラー部材１３と被捕捉部材１４との間の隙間部分がレール部材１１の下端の係止片１１ａに嵌合し、アーム８の他端部でローラー部材１３と被捕捉部材１４を枢支する軸１５が開口部１１ｂを通過するようになる。つまり、ローラー部材１３と被捕捉部材１４とで係止片１１ａを上下から挟むようになる。そして、前記捕捉部材１６の捕捉板部２３間に被捕捉部材１４を位置させて被捕捉部材１４を捕捉した状態でレール部材１１を扉１の背面に形成された凹部９における上端板部１０の下面にビス止めにて取り付け、アーム８の一端を枢結するブラケット６を上の横枠４の後面部４ｂに連設された最下面を形成する板部４ｅの下側にビス止めにて取り付ける。
【００１１】
かかる状態では、扉１が最大開かれた開き角度が所望の開き角度になっていない場合があり、そのときは前記位置固定部２０に螺合する固定用ねじ１８を緩めて位置調整部材１７をレール部材１１内で移動させて微調整を行ない、かかる状態で固定用ねじ１８を締め付け、位置調整部材１７をレール部材１１に固定することにより扉１が最大開かれた開き角度が所望の開き角度となるようにすることができる。
【００１２】
図６および図７に配電ボックスの前面の開口部を形成する枠体２の上端と扉１の上端とを扉用アームストッパー５で繋いだ状態を示し、扉１が閉じられているときは扉用アームストッパー５のアーム８の他端側に取り付けたローラー部材１３はレール部材１１の他端側に位置しており、閉じられた扉１が開かれるとアーム８の他端側に取り付けたローラー部材１３はレール部材１１内をレール部材１１の一端側に摺動し、扉１が最大限開かれるとアーム８の他端側にローラー部材１３と同軸上で取り付けたローラー状の被捕捉部材１４はレール部材１１の一端近傍部に取り付けた捕捉部材１６の捕捉板部２３間に被捕捉部材１４が嵌入して捕捉され、扉１が最大限開かれた状態を保持することができる。最大限開かれた扉１を閉じるときは、扉１に閉じる方向に少し力を掛けることにより捕捉板部２３のばね力に抗して捕捉板部２３間から被捕捉部材１４が抜け出て扉１を閉じることができる。なお、捕捉部材１６の捕捉板部２３間に被捕捉部材１４が嵌入するときの衝撃は前記緩衝材２５により吸収緩和される。
【００１３】
ところで、上記した実施の形態では配電ボックスの扉１に扉用アームストッパー５を取り付けた例を説明したが、扉用アームストッパー５が取り付けられる扉は配電ボックスに限定されるものではない。また、上記した実施の形態ではレール部材１１を扉１側に取り付け、アーム８の一端を枢結するブラケット６を上の横枠４側に取り付けているが、レール部材１１を上の横枠４側に取り付け、アーム８の一端を枢結するブラケット６を扉１側に取り付けるようにしても良い。さらに、扉用アームストッパー５は扉の左右の開き勝手の何れにも部品の組替えなくても使用できるものである。
【図面の簡単な説明】
【００１４】
【図１】本発明の一実施の形態における扉用アームストッパーの分解斜視図である。
【図２】同捕捉部材が取り付けられた位置調整部材の拡大斜視図である。
【図３】同アームを上方から見た斜視図である。
【図４】同捕捉部材が取り付けられた位置調整部材をレール部材に取り付けた状態を示す斜視図である。
【図５】同位置調整部材が取り付けられたレール部材にアームの他端側のローラー部材を嵌入させ捕捉板部に被捕捉部材を捕捉させた状態を示す斜視図である。
【図６】同扉用アームストッパーが取り付けられた扉が閉じた状態を扉の内側から見た斜視図である。
【図７】同扉用アームストッパーが取り付けられた扉が所定の角度で開いた状態を扉の内側から見た斜視図である。
【図８】同レール部材に対する位置調整部材の取り付け状態を示す側面図である。
【図９】同レール部材に対するローラー部材の嵌入状態を示す側面図である。
【符号の説明】
【００１５】
１      扉
２      枠体
３      縦枠
４      横枠
５      扉用アームストッパー
６      ブラケット
７      ピン
８      アーム
１１      レール部材
１１ａ    係止片
１１ｂ    開口部
１２      捕捉手段
１３      ローラー部材
１４      被捕捉部材
１５      軸
１６      捕捉部材
１７      位置調整部材
１８      固定用ねじ
１８ａ    頭部
１９      雌ねじ孔
２０      位置固定部
２１      捕捉部材取り付け部
２２      取り付け板部
２３      捕捉板部
２４      ねじ
２５      緩衝材
２６      ワッシャー
【図１】
2010001684.tif 000003
【図２】
2010001684.tif 000004
【図３】
2010001684.tif 000005
【図４】
2010001684.tif 000006
【図５】
2010001684.tif 000007
【図６】
2010001684.tif 000008
【図７】
2010001684.tif 000009
【図８】
2010001684.tif 000010
【図９】
2010001684.tif 000011